(57)【要約】【課題】カード表面に表示デバイスを搭載した際にＩＣカードやリーダライタが複雑化、大型化したり、コストアップしたりすることなく、高電圧の印加によりＩＣチップ等に悪影響を及ぼさないようにする。【解決手段】カード表面にディスプレイを、カードの裏面に接点端子を配置したＩＣカードにおいて、ＩＣカード検出部によるＩＣカードの装着の解除を検出した検出結果に応じて、リーダライタの第１の端子からＩＣカードの第１の接点端子への電圧供給よりも、第２の端子からＩＣカードの高電圧接点端子への電圧供給を先に遮断する。また、表示の表示面が表にあるため、表示の書き換え中の確認が可能とする。【選択図】図６
2010198218.tif 000002
【特許請求の範囲】
【請求項１】
表示デバイスを備えたＩＣカードのデータを読み書きするとともに、前記表示デバイスの表示を書き換えるリーダライタであって、
前記ＩＣカードの第１の接点端子に接触する第１の端子と、
前記ＩＣカードの高電圧接点端子に接触する第２の端子と、
前記ＩＣカードの装着の解除を検出するＩＣカード検出部とを備え、
前記ＩＣカード検出部によるＩＣカードの装着の解除を検出した検出結果に応じて、前記第１の端子から前記ＩＣカードの第１の接点端子への電圧供給よりも、前記第２の端子から前記ＩＣカードの高電圧接点端子への電圧供給を先に遮断することを特徴とするリーダライタ。
【請求項２】
通信可能に接続された情報処理装置によって制御され、
前記ＩＣカード検出部によるＩＣカードの装着の解除を検出した検出結果に応じて、前記情報処理装置から送信される電圧遮断順序の情報指示に基づいて、前記第１の端子から前記ＩＣカードの第１の接点端子への電圧供給よりも、前記第２の端子から前記ＩＣカードの高電圧接点端子への電圧供給を先に遮断することを特徴とする請求項１に記載のリーダライタ。
【請求項３】
前記第２の端子は、前記表示デバイスの表示駆動用電圧を供給するための接点端子であることを特徴とする請求項１又は２に記載のリーダライタ。
【請求項４】
前記ＩＣカードを載置するための基台と、
前記基台上に設けられた、前記ＩＣカードの一端を挿入する挿入部と、
前記基台上に設けられた、前記ＩＣカードの他端を係止する係止部とを備え、
前記ＩＣカードを装着するときは、前記ＩＣカードを斜めにして前記一端を前記挿入部に挿入した後、前記ＩＣカードを水平にして前記他端を前記係止部に係止する構成とされており、
前記第１の端子、前記第２の端子及び前記ＩＣカード検出部のスイッチは、前記基台上に配設されていることを特徴とする請求項１乃至３の何れか１項に記載のリーダライタ。
【請求項５】
前記ＩＣカードを載置するための基台と、
前記基台上に設けられた、前記ＩＣカードの一端を挿入する挿入部とを備え、
前記ＩＣカードを装着するときは、前記ＩＣカードの一端を前記挿入部に水平に挿入する構成とされており、
前記第１の端子、前記第２の端子及び前記ＩＣカード検出部のスイッチは、前記挿入部の内部に配設されていることを特徴とする請求項１乃至３の何れか１項に記載のリーダライタ。
【請求項６】
表示デバイスを備えたＩＣカードのデータを読み書きするとともに、前記表示デバイスの表示を書き換えるリーダライタと情報処理装置とが通信可能に接続されたリーダライタシステムであって、
前記リーダライタは、
前記ＩＣカードの第１の接点端子に接触する第１の端子と、
前記ＩＣカードの高電圧接点端子に接触する第２の端子と、
前記ＩＣカードの装着の解除を検出するＩＣカード検出部とを備え、
前記ＩＣカード検出部によるＩＣカードの装着の解除を検出した検出結果に応じて、前記情報処理装置から送信される電圧遮断順序の指示情報に基づいて、前記第１の端子から前記ＩＣカードの第１の接点端子への電圧供給よりも、前記第２の端子から前記ＩＣカードの高電圧接点端子への電圧供給を先に遮断することを特徴とするリーダライタシステム。
【発明の詳細な説明】
【技術分野】
【０００１】
本発明は、表示デバイスを備えたＩＣカードのデータを読み書きするとともに、表示デバイスの表示を書き換えるリーダライタ及びリーダライタシステムに関する。
【背景技術】
【０００２】
ＩＣカードは、磁気カード等に比べて記憶容量が大きく、機密性や安全性に優れているといった理由から、多種多様な分野において利用されている。特に近年では、リーダライタとの間で電磁誘導方式の無線通信を行う非接触ＩＣカードが広く利用されている。
【０００３】
ＩＣカードのリーダライタとして、例えば特許文献１には、光記録層とＩＣとを備えたハイブリッドカードを水平方向にスライドさせてカードの先端をスロットに挿入する記録再生装置が開示されている。
【先行技術文献】
【特許文献】
【０００４】
【特許文献１】特開平１１−１６１７４４号公報
【特許文献２】特開２００８−２１７１０６号公報
【発明の概要】
【発明が解決しようとする課題】
【０００５】
ところで、ＩＣカードを利用するに際して、その内部に記憶されている電子的なデータをどのようにして可視化するかが一つの重要な課題である。本出願人は、非接触ＩＣカードにディスプレイ（具体的には電子ペーパ）を設けるとともに、表示制御ＩＣチップを内蔵することを提案している（例えば特許文献２を参照）。
【０００６】
電子ペーパは、電力供給がなくても表示が残存するが、表示の書き換え時には電力が必要となる。そして、その表示の書き換え時に要する電圧は、ＩＣチップ等の他のデバイスの駆動用電圧に比べて高電圧となっている。すなわち、ＩＣカードには、低電圧デバイス（ＩＣチップ等）及び高電圧デバイス（ディスプレイ）の両方が実装されることになる。
【０００７】
このように低電圧デバイス及び高電圧デバイスの両方が実装されている場合に、何らかの原因で低電圧が遮断され、高電圧だけが印加されると、低電圧デバイスに悪影響を及ぼすおそれがある。
【０００８】
低電圧デバイスを保護するために、例えばＩＣカード内に保護回路を実装することも考えられるが、ＩＣカード内の回路の複雑化、ＩＣカードの大型化、コストアップ等の要因となってしまう。
【０００９】
本発明は以上のような状況に鑑みてなされたものであり、高電圧デバイスを実装する場合に、ＩＣカードが複雑化、大型化したり、コストアップしたりすることなくＩＣチップ等を保護できるようにすることを目的とする。
【課題を解決するための手段】
【００１０】
本発明は、表示デバイスを備えたＩＣカードのデータを読み書きするとともに、前記表示デバイスの表示を書き換えるリーダライタであって、前記ＩＣカードの第１の接点端子に接触する第１の端子と、前記ＩＣカードの高電圧接点端子に接触する第２の端子と、前記ＩＣカードの装着の解除を検出するＩＣカード検出部とを備え、前記ＩＣカード検出部によるＩＣカードの装着の解除を検出した検出結果に応じて、前記第１の端子から前記ＩＣカードの第１の接点端子への電圧供給よりも、前記第２の端子から前記ＩＣカードの高電圧接点端子への電圧供給を先に遮断することを特徴とする。
【発明の効果】
【００１１】
本発明によれば、高電圧デバイスを実装する場合に、ＩＣカードが複雑化、大型化したり、コストアップしたりすることなくＩＣチップ等を保護することができる。
【図面の簡単な説明】
【００１２】
【図１】実施形態に係るリーダライタシステムの全体構成を示す図である。
【図２】実施形態に係るＩＣカードの外観図である。
【図３】実施形態に係るリーダライタの外観図である。
【図４】リーダライタに対するＩＣカードの装着及び取り外しを説明するための側面図である。
【図５】ＩＣカードの電子ペーパによる表示例を示す図である。
【図６】遮断順序制御部による動作処理を示すフローチャートである。
【図７】他のリーダライタ及びＩＣカードの構成例を示す図である。
【図８】他のリーダライタに対するＩＣカードの装着を説明するための側面図である。
【発明を実施するための形態】
【００１３】
以下、添付図面を参照して、本発明の好適な実施形態について説明する。
図１は、本実施形態に係るリーダライタシステムの全体構成を示す図である。本実施形態のリーダライタシステム１０では、各家庭の情報処理装置としてのパーソナルコンピュータ（以下、「ＰＣ」と称する）２００からインターネットを介してサーバ１００にアクセスし、電子バリューを購入して、その後、その電子バリューをリーダライタ４００を介して非接触ＩＣカード３００に書き込む形態を説明する。
【００１４】
１００はサーバであり、インターネットを介して電子バリューを販売する。電子バリューとしては、鉄道の乗車券、指定券や特急券、定期券、各種イベントの電子チケット等がある。
【００１５】
２００はＷＥＢブラウザがインストールされたＰＣであり、ＰＣ２００からインターネットを介してサーバ１００にアクセスし、電子バリューを購入してダウンロードすることができる。ＰＣ２００は、ＣＰＵ、ＲＯＭ、ＲＡＭ、ハードディスク等を含んで構成されている。
また、ＰＣ２００はその機能構成として、リーダライタ４００を制御するＲ／Ｗ制御部２０１と、リーダライタ４００から非接触ＩＣカード３００に対して供給している電圧を遮断する順序を制御する遮断順序制御部２０２とを有している。これらの機能構成は、ＰＣ２００のＣＰＵがハードディスクに格納したプログラムを実行することにより実現する。
【００１６】
３００は非接触ＩＣカード（以下、単に「ＩＣカード」と称する）であり、表示デバイスである電子ペーパ３０１を備える。ＩＣカード３００は、ループコイルからなる不図示のアンテナ及び第１のＩＣチップとして非接触チップ３０２を内蔵しており、リーダライタ４００と電磁誘導方式の無線通信（非接触通信）を行う。非接触チップ３０２は、ＣＰＵ、ＲＯＭ、ＲＡＭ等を含んで構成され、電磁誘導方式で得られる電力で駆動する。非接触チップ３０２は、上述した電子バリューの実データを、ＰＣ２００のＲ／Ｗ制御部２０１から、リーダライタ４００を介して、無線通信によって取得する。非接触チップ３０２は、取得した電子バリューの実データをＲＡＭ等のメモリに書き込む。
また、ＩＣカード３００は、接点端子３０３を備えるとともに第２のＩＣチップとして接触チップ３０４を内蔵しており、リーダライタ４００と接触通信を行う。接触チップ３０４は、ＣＰＵ、ＲＯＭ、ＲＡＭ等を含んで構成され、接触通信によりリーダライタ４００から供給される電力で駆動する。接触チップ３０４は、上述した電子バリューに対応する表示用データを、ＰＣ２００のＲ／Ｗ制御部２０１から、リーダライタ４００を介して、接触通信によって取得する。接触チップ３０４は、取得した表示用データに基づいて、電子ペーパ３０１の表示を書き換える。
【００１７】
４００はリーダライタであり、ＰＣ２００にＵＳＢケーブル２０を介して接続する。リーダライタ４００は、アンテナ及び非接触通信部４０１を内蔵しており、ＩＣカード３００と電磁誘導方式の無線通信（非接触通信）を行う。また、リーダライタ４００は、ＩＣカード３００の接点端子３０３に接触する端子４０２を備えるとともに接触通信部４０３を内蔵しており、ＩＣカード３００と接触通信を行う。また、リーダライタ４００は、ＩＣカード検出部４０７を備えている。ＩＣカード検出部４０７は、リーダライタ４００にＩＣカード３００が装着されたことを検出する。また、ＩＣカード検出部４０７は、装着されていたＩＣカード３００が離脱したこと、すなわち装着が解除されたことを検出する。
【００１８】
リーダライタ４００は、ＩＣカード３００が装着された状態で、ＰＣ２００のＲ／Ｗ制御部２０１の制御に基づいて、ＩＣカード３００のデータ（電子バリュー）を読み書きするとともに、電子ペーパ３０１の表示を書き換える。
【００１９】
このとき、リーダライタ４００は、電子バリューの読み書きはアンテナを介して無線通信で行い、電子バリューに対応する電子ペーパ３０１の表示の書き換えは接点端子３０３、端子４０２を介して接触通信で行う。電子ペーパ３０１の表示の書き換え時には電力が必要となり、その電圧はチップ３０２、３０４等の駆動用電圧に比べて高電圧である。このような高電圧を電磁誘導方式で発生させるのは現実的ではなく（例えばループコイルの巻数を増やす等しなければならずＩＣカード３００の薄型化に反する）、電子ペーパ３０１の表示の書き換えは接触通信で行うようにしたものである。
【００２０】
図２に、ＩＣカード３００の外観を示す。図２（ａ）に示すように、カード本体３０５の表面には、電子ペーパ３０１が設けられている。後述するようにカード本体３０５の表面には接点端子３０３を配設しないので、図２（ａ）に示すように、電子ペーパ３０１をカード本体３０５の表面の広い領域にわたって配置することができ、視認性を高めることができる。
【００２１】
図２（ｂ）に示すように、カード本体３０５の裏面には、接点端子３０３が配設されている。図２（ｂ）に示す接点端子３０３は、複数（８つ）の接点端子３０３ａ〜３０３ｈを有している。これら接点端子３０３ａ〜３０３ｈが、図１に示した接点端子３０３をなすものである。
【００２２】
まず、接点端子３０３としては、接触チップ３０４に電源を供給するロジック電源供給用の接点端子３０３ａ、クロック信号（指示情報）を送るための接点端子３０３ｃ、接地用の接点端子３０３ｅ、電子ペーパ３０１の表示用データを入出力するための入出力用の接点端子３０３ｆが割りあてられている。これらの接点端子３０３ａ、３０３ｃ、３０３ｅ、３０３ｆは、第１の接点端子に対応する。
一方、接点端子３０３としては、電子ペーパ３０１の表示駆動用電圧を供給するための接点端子が割りあてられている。図示例では、電子ペーパ３０１の縦方向に電圧を印加するための接点端子３０３ｄと、横方向に電圧を印加するための接点端子３０３ｈとが別々となっている。これらの接点端子３０３ｄ、３０３ｈは、第２の接点端子に対応する。
なお、接点端子３０３ｂ、３０３ｇは、機能が割り当てられていない接点端子になっている。また、ここで述べた以外の接点端子を接点端子３０３ｂ、３０３ｇに割り当ててもよい。また、接点端子３０３の割り当ては、上述した割り当てに限られない。
【００２３】
ここで、第２の接点端子３０３ｄ、３０３ｈ（以下、単に第２の接点端子と称する）は、第１の接点端子３０３ａ、３０３ｃ、３０３ｅ、３０３ｆ（以下、単に第１の接点端子と称する）に比べて高電圧接点端子となっている。電子ペーパ３０１の仕様によって異なるが、第１の接点端子では３〜５Ｖ程度の電圧を印加すればよいのに対して、第２の接点端子では電子ペーパ３０１の縦方向に３５Ｖ程度の表示駆動用電圧を印加し、横方向に７０Ｖ程度の表示駆動用電圧を印加する必要がある。
【００２４】
図３に、リーダライタ４００の外観を示す。リーダライタ４００は、ＩＣカード３００を載置するための基台４０４を備える。基台４０４上には、ＩＣカード３００の長手方向の一端（以下、単に「一端」と称する）の角部がそれぞれ挿入される挿入部４０５ａ、４０５ｂと、ＩＣカード３００の長手方向の他端（以下、単に「他端」と称する）を係止する係止部４０６とが設けられている。これら基台４０４、挿入部４０５ａ、４０５ｂ及び係止部４０６は樹脂により成形されている。
【００２５】
挿入部４０５ａ、４０５ｂは、係止部４０６側、詳しくは基台４０４の中心側に向かって開口する袋状もしくはポケット状に形成されており、ＩＣカード３００の一端の角部を挿入できるようになっている。
【００２６】
係止部４０６は、基台４０４上から上方に延びる弾性変形可能な板状の支持部４０６ａと、支持部４０６ａの上端に一体形成されたヘッド部４０６ｂとを有する。ヘッド部４０６ｂは、挿入部４０５ａ、４０５ｂ側に突出しており、下面に水平面である係止面４０６ｃが形成され、上面に傾斜面４０６ｄが形成されている。更に、支持部４０６ａの後方（挿入部４０５ａ、４０５ｂと反対側）には解除レバー４０６ｅが一体形成されており、解除レバー４０６ｅを押すことにより、支持部４０６ａが後方に反るように弾性変形させることができる。
【００２７】
また、基台４０４上には、ＩＣカード３００の接点端子３０３に対応する端子４０２が配設されている。端子４０２は、ＩＣカード３００の接点端子３０３に対応して、複数（８つ）の端子４０２ａ〜４０２ｈを有している。これら端子４０２ａ〜４０２ｈが、図１に示した端子４０２をなすものである。
ＩＣカード３００が、リーダライタ４００に装着されたとき、端子４０２ａ〜４０２ｈは、それぞれＩＣカード３００の接点端子３０３ａ〜３０３ｈに接触するようになっている。具体的には、ＩＣカード３００の第１の接点端子３０３ａ、３０３ｃ、３０３ｅ、３０３ｆには、それぞれ端子４０２ａ、４０２ｃ、４０２ｅ、４０２ｆに接触する。これらの端子４０２ａ、４０２ｃ、４０２ｅ、４０２ｆは、第１の端子に対応する。
一方、ＩＣカード３００の第２の接点端子３０３ｄ、３０３ｈには、それぞれ端子４０２ｄ、４０２ｈに接触する。これらの端子４０２ｄ、４０２ｈは、第２の端子に対応する。
【００２８】
なお、ＩＣカード３００の接点端子３０３ｂ、３０３ｇには、それぞれ端子４０２ｂ、４０２ｇに接触する。したがって、後に、接点端子３０３ｂ、３０３ｇに機能が割り当てられたときでも対応することができる。また、端子４０２の割り当ては、上述した割り当てに限られず、ＩＣカード３００の接点端子３０３に応じて変更してよい。
なお、各端子４０２ａ〜４０２ｈは、例えばピン状、板バネ状等、僅かに基台４０４の上方に突出していることが好ましい。
また、基台４０４内には、図３（ａ）、図３（ｂ）の隠線で示すようにループコイルからなるアンテナ４０８が内蔵されている。
【００２９】
また、基台４０４上には、挿入部４０５ａ、４０５ｂと係止部４０６との間であって係止部４０６に近い位置に、不図示の付勢手段により上方に付勢されたスイッチ４０７ａを有するＩＣカード検出部４０７が設けられている。
ＩＣカード３００がリーダライタ４００に装着されることにより、ＩＣカード３００の裏面が、付勢に抗してスイッチ４０７ａを基台４０４内に押し込む。スイッチ４０７ａが押し込まれることにより、ＩＣカード検出部４０７は、リーダライタ４００にＩＣカード３００が装着されたことを検出する。一方、装着されていたＩＣカードがリーダライタ４００から離脱する、すなわち装着が解除されることにより、スイッチ４０７ａが付勢手段によって、基台４０４の上方に突出する。スイッチ４０７ａが上方に突出することにより、ＩＣカード検出部４０７は、リーダライタ４００からＩＣカード３００が離脱、すなわち装着が解除されたことを検出する。
【００３０】
ここで、ＩＣカード３００をリーダライタ４００に装着するときは、図４（ａ）に示すように、ＩＣカード３００を斜めにしてその一端の角部を挿入部４０５ａ、４０５ｂに差し込むようにして挿入する。その後、ＩＣカード３００を寝かせていくと、ＩＣカード３００の他端が係止部４０６の傾斜面４０６ｄに当接して係止部４０６を押して、係止部４０６が後方に反るように弾性変形する。そして、ＩＣカード３００を更に寝かせて、ＩＣカード３００の他端が係止部４０６の傾斜面４０６ｄの下端を超えて基台４０４と略水平になると、図４（ｂ）に示すように、係止部４０６が元の状態に復帰する。最後に、図４（ｃ）に示すように、係止部４０６の係止面４０６ｃがＩＣカード３００の他端上面に係止して、ＩＣカード３００の装着が完了する。
【００３１】
ＩＣカード３００がリーダライタ４００に装着された状態では、ＩＣカード検出部４０７のスイッチ４０７ａが、付勢手段の付勢力に抗して押し込まれた状態となっている。したがって、ＩＣカード検出部４０７は、ＩＣカード３００の装着を検出している。また、ＩＣカード３００の接点端子３０３が、それぞれリーダライタ４００の端子４０２に接触している。したがって、リーダライタ４００は、ＩＣカード３００に電子バリューを書き込むとともに、電子ペーパ３０１の表示の書き換えを行う準備が整えられる。
なお、リーダライタ４００の挿入部４０５ａ、４０５ｂ及び係止部４０６は、ＩＣカード３００が装着されたときに、電子ペーパ３０１の画面を覆わない位置に配設されている。
【００３２】
次に、ＩＣカード３００がリーダライタ４００に装着された状態で、ＩＣカード３００の非接触チップ３０２にデータを書き込む処理及び電子ペーパ３０１の表示を書き換える処理について説明する。なお、以下で説明するＲ／Ｗ制御部２０１の処理は、ＰＣ２００のＣＰＵがハードディスク等に格納されたプログラムを実行することにより実現する。
まず、操作者は、ＰＣ２００のマウス等の入力手段を用いて、サーバからダウンロードした電子バリューをＩＣカード３００に書き込むように指示する。すると、ＰＣ２００のＲ／Ｗ制御部２０１は、リーダライタ４００のＩＣカード検出部４０７がＩＣカード３００の装着を検出しているかを確認する。
【００３３】
Ｒ／Ｗ制御部２０１は、ＩＣカード検出部４０７がＩＣカード３００の装着を検出している場合、Ｒ／Ｗ制御部２０１は、リーダライタ４００の接触通信部４０３に対して、ダウンロードした電子バリューに対応する表示用データと、この表示用データに基づいて電子ペーパ３０１の表示を書き換える指示情報を送信する。リーダライタ４００の接触通信部４０３は、Ｒ／Ｗ制御部２０１の制御の下、送信された表示用データ及び指示情報を、端子４０２及び接点端子３０３を介して、ＩＣカードの接触チップ３０４に送信する。
【００３４】
このとき、リーダライタ４００の接触通信部４０３は、表示データを端子４０２ｆを介して送信し、指示情報を端子４０２ｃを介して送信する。また、リーダライタ４００の接触通信部４０３は、接触チップ３０４に電源を供給するロジック電源用の電圧を端子４０２ａを介して供給する。また、リーダライタ４００の接触通信部４０３は、電子ペーパ３０１の表示を書き換える高電圧の表示駆動用電圧を端子４０２ｄ、４０２ｇを介して供給する。
【００３５】
また、ＩＣカード３００では、リーダライタ４００の各端子４０２ａ〜４０２ｈに対応する接点端子３０３ａ〜３０３ｈが、送信された情報等をそれぞれ受信する。そして、接触チップ３０４は、供給された電源により駆動すると共に、受信した表示用データと指示情報とに基づいて、電子ペーパ３０１の表示を書き換える。なお、接触チップ３０４が、電子ペーパ３０１の表示を書き換えるときは、供給された高電圧の表示駆動用電圧を使用して、表示を書き換える。このとき、上述したように、ＩＣカード３００の電子ペーパ３０１の画面は、リーダライタ４００の何れの部材にも覆われていないので、操作者は、電子ペーパ３０１の書き換え中において、書き換えられた表示を目視で確認することができる。
【００３６】
また、Ｒ／Ｗ制御部２０１は、リーダライタ４００の非接触通信部４０１に対して、ダウンロードした電子バリューの実データと、この実データを書き込む指示情報を送信する。リーダライタ４００の非接触通信部４０１は、Ｒ／Ｗ制御部２０１の制御の下、送信された実データ及び指示情報を、非接触通信により非接触チップ３０２に送信する。
ＩＣカード３００の非接触チップ３０２は、受信した電子バリューの実データをメモリに書き込む。
Ｒ／Ｗ制御部２０１は、ＩＣカード３００に電子バリューの実データがメモリに書き込まれ、電子ペーパ３０１の表示の書き換えを確認した場合、ＰＣ２００のディスプレイ等の表示装置を介して、電子バリューが正常に書き込まれた旨のメッセージを表示する。
【００３７】
なお、Ｒ／Ｗ制御部２０１は、ＩＣカード検出部４０７がＩＣカード３００の装着を検出していない場合、ＰＣ２００のディスプレイ等の表示装置を介して、操作者にＩＣカード３００がリーダライタ４００に装着されていない旨のメッセージを表示する等のエラー処理を行う。
【００３８】
ここで、図５に、ＩＣカード３００の電子ペーパ３０１の表示が書き換えられた例を示す。図５（ａ）は新幹線の乗車券及び特急券（指定席）の表示例である。図５（ｂ）は乗車整理券の表示例である。図５（ｃ）は野球やサッカー等のチケットの表示例である。なお、図５に示すのは一例に過ぎず、例えば電子ペーパ３０１の表示領域を複数に分けて、複数の電子バリューに対応する表示が可能となるようにしてもよい。また、非接触チップ３０２のメモリには、図５（ａ）、（ｂ）及び（ｃ）に対応した実データが記憶されている。
【００３９】
次に、電子ペーパ３０１の表示の書き換え処理を行われている途中で、ＩＣカード３００の装着の不具合等、何らかの要因で、ＩＣカード３００がリーダライタ４００から離脱する場合の処理について説明する。上述したように、ＩＣカード３００に、低電圧デバイス及び高電圧デバイスの両方が実装されている場合に、何らかの原因で低電圧が遮断され、高電圧だけが印加されると、低電圧デバイスに悪影響を及ぼすおそれがある。すなわち、ＩＣカード３００の離脱の仕方によっては、瞬間的であっても、ＩＣカード３００の高電圧の表示駆動用電圧が供給される第２の接点端子３０３ｄ、３０３ｈのみが端子４０２ｄ、４０２ｈと接触した状態になるおそれがある。この場合、例えば低電圧で駆動する接触チップ３０４に悪影響を及ぼす。
【００４０】
そこで、本実施形態では、ＰＣ２００の遮断順序制御部２０２が、リーダライタ４００に対して、ＩＣカード３００に供給する電圧の供給を遮断する順序の指示情報を送信する。以下、遮断順序制御部２０２による処理を図６に示すフローチャートを参照して説明する。なお、以下で説明する遮断順序制御部２０２の処理は、ＰＣ２００のＣＰＵがハードディスク等に格納されたプログラムを実行することにより実現する。
【００４１】
ここでは、リーダライタ４００の接触通信部４０３からＩＣカード３００に対して、表示用データ及び指示情報や、高電圧の表示駆動用電圧等が供給されている状態であるものとする。
まず、ステップＳ１０において、遮断順序制御部２０２は、リーダライタ４００のＩＣカード検出部４０７がＩＣカード３００の装着の解除を検出したか否かを判定する。この処理の判定は、遮断順序制御部２０２が常時、ＩＣカード検出部４０７の検出状態を監視することによりＩＣカード３００の装着の解除を検出する態様でもよい。また、遮断順序制御部２０２が、ＩＣカード検出部４０７からＩＣカード３００の装着が解除された情報を受信することにより、ＩＣカード３００の装着の解除を検出する態様であってもよい。
遮断順序制御部２０２は、ＩＣカード３００の装着の解除を検出するまで待機する。
【００４２】
ここで、何らかの要因により、ＩＣカード３００がリーダライタ４００から離脱して、ＩＣカード検出部４０７のスイッチ４０７ａが少しでも上昇した場合、遮断順序制御部２０２は、ＩＣカード検出部４０７によるＩＣカード３００の装着の解除を検出し、ステップＳ１１に処理を進める。
【００４３】
ステップＳ１１において、遮断順序制御部２０２は、リーダライタ４００の接触通信部４０３に対し、高電圧の表示駆動用電圧の供給を遮断するように指示情報を送信する。この指示情報に基づいて、リーダライタ４００の接触通信部４０３は、第２の端子４０２ｄ、４０２ｈから第２の接点端子３０３ｄ、３０３ｈに供給している高電圧の表示駆動用電圧を遮断する。
【００４４】
次に、ステップＳ１２において、遮断順序制御部２０２は、リーダライタ４００の接触通信部４０３に対し、表示駆動用電圧以外の供給を遮断するように指示情報を送信する。具体的には、表示データの送信、指示情報の送信及び接触チップ３０４に電源を供給するロジック電源用の電圧の供給の遮断の指示情報を送信する。この指示情報に基づいて、リーダライタ４００の接触通信部４０３は、第１の端子４０２ａ、４０２ｃ、４０２ｆから第１の接点端子３０３ａ、３０３ｃ、３０３ｆに供給している電圧等を遮断する。
【００４５】
次に、ステップＳ１３において、遮断順序制御部２０２は、ＰＣ２００のディスプレイ等の表示装置を介して、操作者にＩＣカード３００がリーダライタ４００から離脱され、電子バリューの書き込みができなかった旨のメッセージを表示する等のエラー処理を行う。
このように、遮断順序制御部２０２は、リーダライタ４００からＩＣカード３００に供給している高電圧の表示駆動用電圧の供給を先に遮断するように指示するので、ＩＣカード３００の接触チップ３０４等を保護し、接触チップ３０４等に悪影響を与えないようにすることができる。
【００４６】
このように、第１の端子及び第２の端子の両方から電圧の供給がなされている状態でＩＣカード３００の装着が解除されても、高電圧だけが印加されるのを避けることができ、低電圧デバイスを保護することができる。
また、ＩＣカード３００への電圧遮断の順序をＰＣ２００の遮断順序制御部２０２が規制するので、ＩＣカード３００に保護回路を実装する必要がなく、ＩＣカード３００が複雑化、大型化したり、コストアップしたりすることがない。
【００４７】
なお、ＩＣカード３００をリーダライタ４００から取り外すときは、解除レバー４０６ｅを押す。これにより、支持部４０６ａが後方に反るように弾性変形するので、付勢されているＩＣカード検出部４０７のスイッチ４０７ａによりＩＣカード３００の他端側が押し上げられる。その後、ＩＣカード３００の一端の角部を挿入部４０５ａ、４０５ｂから引き抜くようにしてＩＣカード３００を取り外す。
このように、リーダライタ４００には、ＩＣカード３００の電子ペーパを書き換えるとき及び書き換えが終わったとき等に、書き換え位置や取り出し位置まで移動させるようなモータ等の可動部が必要ない。したがって、リーダライタ４００は、簡単な構造で、ＩＣカード３００を装着したり、取り外したりすることができるので、リーダライタ４００の小型化及び製造コストを削減することができる。
【００４８】
また、リーダライタ４００には、ＩＣカード３００を挿入する挿入部４０５ａ、４０５ｂの空間は、僅かであり、埃や塵が蓄積することがない。また、リーダライタ４００の基台４０４のほとんどが外部に露出しているため、リーダライタ４００の清掃が簡単であり、メンテナンス性が向上する。
また、リーダライタ４００の挿入部４０５ａ、４０５ｂ及び係止部４０６は、ＩＣカード３００の一端及び他端の僅かを挿入及び係止するような構造になっているので、電子ペーパ３０１の画面サイズをＩＣカード３００のサイズと同等に拡大しても、電子ペーパ３０１の書き換え中において、書き換えられた表示を目視で確認することができる。
【００４９】
以上、本発明を種々の実施形態とともに説明したが、本発明はこれらの実施形態にのみ限定されるものではなく、本発明の範囲内で変更等が可能である。
例えば、上述では、ＰＣ２００の遮断順序制御部２０２が、リーダライタ４００に対して、ＩＣカード３００に供給する電圧を遮断する順序を制御する場合について説明したが、この場合に限られない。すなわち、リーダライタ４００に、ＩＣカード３００に供給する電圧を遮断する順序を制御する遮断順序制御部を有していてもよい。
【００５０】
また、例えば、上述では、リーダライタ４００は、ＩＣカード３００を斜めにしてその一端の角部を挿入部４０５ａ、４０５ｂに挿入した後、ＩＣカード３００を寝かせていくことにより、ＩＣカード３００の他端が係止部４０６に係止する構造についてのみ説明したが、この場合に限られない。
すなわち、図７に示すように、ＩＣカードをスライドさせることにより、リーダライタに装着させるような構造であってもよい。
【００５１】
図７に、ＩＣカード６００が装着された状態のリーダライタ５００の外観を示す。リーダライタ５００は、ＩＣカード６００の一端が挿入される挿入部５０１が設けられている。挿入部５０１の上面には、装着されたＩＣカード６００を取り出すためのエジェクトボタン５０１ａが配設されている。また、リーダライタ５００の一部断面を示す図８（ａ）、（ｂ）に示すように、挿入部５０１内の最も奥側には、ＩＣカード６００の装着を検出するＩＣカード検出部５０２が配設されている。ＩＣカード検出部５０２は、挿入部５０１の開口方向に付勢されているスイッチ５０２ａを有している。また、挿入部５０１内の内周上面には、端子５０３が設けられている。
【００５２】
一方、ＩＣカード６００には、電子ペーパ６０１を備える。電子ペーパ６０１は、ＩＣカード６００をリーダライタ５００の挿入部５０１に挿入したときに、挿入部５０１から露出している部分に配設されている。また、ＩＣカード６００には、電子ペーパ６０１が配設された面と同一面に、接点端子６０２が配設されている。
【００５３】
このように構成されたリーダライタ５００にＩＣカード６００を装着する場合、図８（ａ）に示すように、ＩＣカード６００を挿入部５０１の開口方向から、図８（ｂ）に示すように、ＩＣカードの一端が挿入部５０１の奥側に突き当たるまで挿入する。
図８（ｂ）に示す状態では、ＩＣカード検出部５０２のスイッチ５０２ａが、付勢力に抗して押し込まれた状態となっている。したがって、ＩＣカード検出部５０２は、ＩＣカード６００の装着を検出している。また、ＩＣカード６００の接点端子６０２が、それぞれリーダライタ５００の端子５０３に接触している。したがって、リーダライタ５００は、ＩＣカード６００に電子バリューを書き込むとともに、電子ペーパ６０１の表示の書き換えを行う準備が整えられる。
【００５４】
また、ＩＣカード６００にデータを書き込む処理及び電子ペーパ６０１の表示を書き換える処理については、上述した説明と同様であり、省略する。また、電子ペーパ６０１の表示の書き換え処理を行われている途中で、ＩＣカード６００の装着の不具合等、何らかの要因で、ＩＣカード６００がリーダライタ５００から離脱する場合の処理についても、上述と同様である。すなわち、ＰＣの遮断順序制御部が、ＩＣカード検出部５０２によりＩＣカード６００の装着の解除を検出することにより、リーダライタ５００からＩＣカード６００に供給している高電圧の表示駆動用電圧の供給を先に遮断するように制御する。
【００５５】
なお、ＩＣカード６００をリーダライタ５００から取り外すときは、リーダライタ５００のエジェクトボタン５０１ａを押すことにより、ＩＣカード６００がリーダライタ５００の挿入部５０１から所定位置までスライドして、ＩＣカード６００を取り出すことができる。
このように、リーダライタ５００がＩＣカード６００の装着及び装着の解除を検出できるように構成されていれば、リーダライタは、どのような構成であってもよい。
なお、上述では、ＩＣカード検知部として接触式のスイッチ、すなわち接触式のセンサーを用いる場合について説明したが、この場合に限られない。例えば、光電センサー等の非接触式のセンサーを用いてもよい。
【符号の説明】
【００５６】
１０      リーダライタシステム
１００    サーバ
２００    パーソナルコンピュータ
２０１    Ｒ／Ｗ制御部
２０２    遮断順序制御部
３００    非接触ＩＣカード
３０１    電子ペーパ
３０２    非接触チップ
３０３    接点端子
３０３ａ  第１の接点端子
３０３ｃ  第１の接点端子
３０３ｅ  第１の接点端子
３０３ｆ  第１の接点端子
３０３ｂ  第２の接点端子
３０３ｇ  第２の接点端子
３０４    接触チップ
３０５    カード本体
４００    リーダライタ
４０１    非接触通信部
４０２    端子
４０２ａ  第１の端子
４０２ｃ  第１の端子
４０２ｅ  第１の端子
４０２ｆ  第１の端子
４０２ｂ  第２の端子
４０２ｇ  第２の端子
４０３    接触通信部
４０４    基台
４０５ａ  挿入部
４０５ｂ  挿入部
４０６    係止部
４０７    ＩＣカード検知部
４０７ａ  スイッチ
４０８    アンテナ
５００    リーダライタ
５０１    挿入部
５０２    ＩＣカード検知部
５０２ａ  スイッチ
５０３    端子
６００    ＩＣカード
６０１    電子ペーパ
６０２    接点端子
【図１】
2010198218.tif 000003
【図２】
2010198218.tif 000004
【図３】
2010198218.tif 000005
【図４】
2010198218.tif 000006
【図５】
2010198218.tif 000007
【図６】
2010198218.tif 000008
【図７】
2010198218.tif 000009
【図８】
2010198218.tif 000010